(57)【特許請求の範囲】
【請求項１】
履物の底（２０）、タイヤ（３０）、シート・マット（４０）、階段の踏板（５０）、床材（６０）、タイル（７０）、ハンドルのグリップ（８０）、手袋（９０）又は手摺り（１００）の表面に、その外形に沿って多数の突起を配してなる突起群の一部又は全部がその上面に凹状部（４）及び／又は凸状部（８）を設けた方向性を有する形状のアメーバ形突起（３）からなるとともに、該アメーバ形突起（３）の配列方向におけるアメーバ形突起（３）の方向性を決める軸としての長手方向の中心線が、相隣るアメーバ形突起（３）の長手方向の中心線とは互いに方向が異なるべく、各アメーバ形突起（３）が上記中心線の中点を中心として順次適宜角度ずつ回転して配列されてなることを特徴とする滑り防止表面構造。
【請求項２】
前記アメーバ形突起（３）の上面に、該アメーバ形突起（３）の内部に向けて下がり傾斜面（１５）を複数個設けることにより内部凸状部（８′）が複数個連設形成されてなる請求項１記載の滑り防止表面構造。
【発明の詳細な説明】
【０００１】
【発明の属する技術分野】
本発明は、各種物品又は構造物における滑り防止表面構造に関するものであって、具体的には、サンダル、スリッパ、靴等の履物の底、車両等のタイヤ類、玄関、浴室の洗い場、厨房、プールサイド等に敷かれるマットやシート類の敷物類、階段の踏板、床材、タイル、ハンドルのグリップ、手袋又は手摺り等の表面の滑りをより一層効果的に防止できるようにした滑り防止表面構造に関するものである。
【０００２】
【従来の技術】
従来、滑り防止表面構造を採用している履物の底２０′、例えて靴底としては、図２３に示す如く、前方踏み付け部２２′、土踏まず部２３′及び踵部２４′からなり、接地面に当接する任意形状の凸部２１′を形成した前方踏み付け部２２′の母指球部２５′近傍部位に、外側方向踏み出し溝と内側方向踏み出し溝からなる屈曲溝２６′を交差状に設けたスポーツシューズ用靴底において、前記屈曲溝２６′に滑り止め用の平面視真円形の突起２′を設けたスポーツシューズ用靴底が知られている。
【０００３】
又、滑り防止表面構造を採用しているタイヤ３０′としては、図２４に示す如く、タイヤの周方向に連続して延在する３本の主溝３１′を持ち、該主溝３１′を含む複数の周方向溝とタイヤの幅方向に向き、且つ主溝３１′と同等以下の溝深さを有する複数の副溝３２′によって区切られた平面視台形乃至平行四辺形をなす略四角形のブロック３３′をタイヤ周方向に複数個配置するとともに、該ブロック３３′内に極めて狭い狭溝３４′を有し、しかもブロック３３′の周方向の長さ、幅方向の長さ及び狭溝３４′の深さの関係が特定の式を満足するようにしたものがある。
【０００４】
又、滑り防止表面構造を採用しているシート・マット４０′としては、図２５に示す如く、その表裏面に略十文字形の突起２′を複数個設けて網目状の凹凸幾何学的形状を付与し、その突起２′を取り囲む部分を排水溝４１′となすとともに、該排水溝４１′の適所にも小円形の突起２′を設けたものが知られている。
【０００５】
【発明が解決しようとする課題】
このように、滑り防止表面構造を採用している従来の靴底、タイヤ及びシート・マットにあっては、それらの表面及び／又は裏面に設けられる突起はいずれも平面視真円形又は台形乃至平行四辺形の略四角形、或いは棒状、略Ｙ字状、及び略十文字状等、その周縁部が直線状に連設されたものが殆どであり、意匠的に平凡であるうえに、各突起の周縁部の周長がその表面積に対して短いので、該表面に体重又は車重が負荷された場合に、前記周縁部と接触面との摩擦抵抗が小さいという問題点があった。
【０００６】
本発明は、上記の如き従来の問題点に鑑みてなされたもので、滑り防止表面構造を具備する各種物品又は構造物として、例えば履物の底やタイヤの表面粗度を大きくして滑りやすい場所においても人や車両等のスリップ防止効果を高めるとともに、外観形態が非常に躍動感に溢れ、意匠的にも優れた履物の底及びタイヤを提供することを課題とする。
更に、本発明は、滑りやすい場所、例えて玄関、浴室の洗い場、厨房、プールサイド等に敷かれるシート・マット、階段の踏板、床材やタイルなどの表面粗度を大きくして人等のスリップ防止効果を高めるとともに、外観形態が非常に躍動感に溢れ、意匠的にも優れたシート・マット、階段の踏板、床材やタイルなどを提供することを課題とする。
【０００７】
又、本発明は把持部、例えてハンドルのグリップ、手袋及び手摺りなどの表面粗度を大きくしてそれらの表面でのスリップ防止効果を高めるとともに、外観形態が非常に躍動感に溢れ、意匠的にも優れた把持部の表面構造を提供することを課題とする。
【０００８】
【課題を解決するための手段】
上記課題を解決するため本発明に係る滑り防止表面構造は、履物の底２０、タイヤ３０、シート・マット４０、階段の踏板５０、床材６０、タイル７０、ハンドルのグリップ８０、手袋９０又は手摺り１００の表面に、その外形に沿って多数の突起を配してなる突起群の一部又は全部がその上面に凹状部４及び／又は凸状部８を設けた方向性を有する形状のアメーバ形突起３からなるとともに、該アメーバ形突起３の配列方向におけるアメーバ形突起３の方向性を決める軸としての長手方向の中心線が、相隣るアメーバ形突起３の長手方向の中心線とは互いに方向が異なるべく、各アメーバ形突起３が上記中心線の中点を中心として順次適宜角度ずつ回転して配列されてなることを特徴とする。
【０００９】
ここで、“方向性を有する形状のアメーバ形”とは、平面視において真円形を除き、その全周を曲線状に連設してなる閉じた形状で、例えて略楕円形、略たまご形、略ひょうたん形、略だるま形、略８の字形、略Ｘ字形、略Ｙ字形や、該略楕円形、略たまご形、略ひょうたん形、略だるま形、略８の字形における長手方向の中心線としての長軸及び略Ｘ字形、略Ｙ字形、略海星形における各軸線が曲線状に屈曲した形状等をいい、又、方向性を決める軸とは、前記各形状における長軸（略Ｘ字形、略Ｙ字形、略海星形においては最も長い軸線）を意味するものである。
【００１０】
上記構成からなる滑り防止表面構造において、履物の底２０及びタイヤ３０にあっては、それらが路面等に接触する際、突起がアメーバ形をなし、且つ該アメーバ形突起３が方向性を有するために、その周縁部の周線が従来の平面視真円形又は台形乃至平行四辺形の略四角形状等、その周縁を直線状に連設しているものに比して長いので、履物の底２０及びタイヤ３０の素材が硬い場合はエッジ効果により、また、軟らかい場合は接地面積の増大により、路面等の接地面とのより大きな接触（滑り）抵抗が生じることとなり、人や車両等のスリップ防止効果が高められる。
又、アメーバ形突起３の配列方向におけるアメーバ形突起３の方向性を決める軸としての長手方向の中心線が、相隣るアメーバ形突起３の長手方向の中心線とは互いに方向が異なるべく、各アメーバ形突起３…が上記中心線の中点を中心として順次適宜角度ずつ回転して配列されてなるため、履物の底２０及びタイヤ３０が接地面とどのような方向で接触してもアメーバ形突起３の周縁部は、各アメーバ形突起３…毎に夫々その形態が異なるとともに、各アメーバ形突起３…の相対距離が突起間毎に相違することとなり、接地面との接触が様々な方向に様々な距離をもって生じるから、履物の底２０及びタイヤ３０は接地面からより大きな摩擦（滑り）抵抗を得ることができる。
更に、前記アメーバ形突起３の上面には凹状部４及び／又は凸状部８が設けられ、該凹状部４及び／又は凸状部８の周縁部にあっても接地面との接触（滑り）抵抗が生じるので、前記アメーバ形突起３による接触抵抗と凹状部４及び／又は凸状部８の接触抵抗とが相俟って接地面との摩擦（滑り）抵抗がさらに増大することとなり、より大きなスリップ防止効果が得られる。
【００１１】
前記構成からなる滑り防止表面構造が、シート・マット４０、階段の踏板５０、床材６０、タイル７０、ハンドルのグリップ８０、手袋９０又は手摺り１００である場合にあっても、前記履物の底２０及びタイヤ３０と同様に、アメーバ形を呈する突起の周縁形状、該アメーバ形突起３の方向性を決める軸が互いに異なっている配列、さらに、その上面に設けられた凹状部４又は凸状部８によって、被接触物が如何なる場合にあっても、かかる表面構造が大きな摩擦（滑り）抵抗を発揮して、その接触部におけるスリップ防止効果を向上せしめるものである。
【００１２】
また、本発明に係る滑り防止表面構造は、請求項２記載の如く、アメーバ形突起３の上面に、アメーバ形突起３の内部に向けて下がり傾斜面１５を複数個設けることにより内部凸状部８′が複数個連設形成されてなる構成を採用することができる。
換言すれば、アメーバ形突起３の上面に凸状部８を設ける代わりにアメーバ形突起３の内部に向けて下がり傾斜面１５を設けることにより内部凸状部８′を形成させるものである。
かかる構成からなる滑り防止表面構造にあっては、内部凸状部８′は凸状部８と同様、内部凸状部８′の周縁部７′による接触抵抗を生じ、アメーバ形突起３による接触抵抗に加えて大きなスリップ防止効果を発揮する。しかも、下がり傾斜面１５を複数個設けることにより、そのスリップ防止効果はその個数分だけ増大するとともに、下がり傾斜面１５を複数個設けることで形成される複数個の内部凸状部８′を連続させると、その周縁部７′が角立ち全体として鋸歯状を呈するため、極めて大きな接触（滑り）抵抗が発生する。
【００１３】
【発明の実施の形態】
以下、本発明の実施の形態を図面を参酌しつつ説明する。
２０は、図１（イ）及び（ロ）に示す如く、本実施形態の一例に係るゴム等の弾性体からなる表面層を具備する履物の底であって、該履物の底２０は、前方踏み付け部２２、土踏まず部２３及び踵部２４とからなり、前方踏み付け部２２は突条体１２が周回状に突設され、更に突条体１２により最先端部とその他の部分に領域が分割されている。
前方踏み付け部２２の最先端部には、真円突起２が爪先形状に沿って１列配され、前方踏み付け部２２のその他の部分には、たまご形のアメーバ形突起３が周回状の突条体１２に沿って１列配されるとともに、該アメーバ形突起３の内側には、六角形の多角突起９及び外側のたまご形のアメーバ形突起３よりも小径のたまご形のアメーバ形突起３の順で配され、略中心部にアメーバ形状のアメーバ形突起３ｎが配されている。
踵部２４も周回状に突条体１２が突設され、該突条体１２に沿ってその内側にたまご形のアメーバ形突起３及び六角形の多角突起９がその順で各１列配され、略中心部にアメーバ形状のアメーバ形突起３ｎが配されている。
ここで、たまご形のアメーバ形突起３は、その方向性を決める軸が互いに異なるように配され、また、該アメーバ形突起３及び真円突起２の夫々の上面に平面視真円形の凹状部４又は凸状部８が各突起３又は２自体の中心より偏位して設けられている。更に、アメーバ形突起３ｎの上面には平面視アメーバ形状の凹状部４又は凸状部８が設けられている。
【００１４】
図２は、他の履物の底２０を示す第二実施形態であって、その履物の底２０は、前方踏み付け部２２、土踏まず部２３及び踵部２４の外周が突条体１２によって囲繞され、該突条体１２に沿うように、たまご形のアメーバ形突起３が環状に２列配されるとともに、前方踏み付け部２２の略中心部にはＹ字形のアメーバ形突起３ｋが、又、前方踏み付け部２２と土踏まず部２３の境界付近にアメーバ形状のアメーバ形突起３ｎが配され、更に、残余の分に大小様々な径をなす多数のたまご形のアメーバ形突起３を全面的に設けて底面を形成してなる。
また、たまご形のアメーバ形突起３上面には、それ自体の中心より偏位して平面視真円形の凹状部４又は凸状部８が設けられ、アメーバ形突起３ｋ及び３ｎの上面には夫々平面視略Ｙ字形又はアメーバ形状の凹状部４又は凸状部８が設けられている。
尚、上記各実施形態では履物の底を対象としているが、これに限定されず、履物の上面及び／又は底にも同様に実施可能である。
【００１５】
ここで、図３においてアメーバ形突起３の配列方法について詳述する。相隣るアメーバ形突起３…は、その方向性を決める軸が互いに異なるように配列されてなるもので、本実施形態の一例においても、順次方向性が異なるようにして配されている。
夫々外形に沿って突起群を形成するアメーバ形突起３は、たまご形の方向性を決める軸としての長手方向の中心線、すなわち、長軸Ｘが相隣るアメーバ形突起３の長軸Ｘとは方向が互いに異なるように順次配されているもので、更に詳しくは、アメーバ形突起３の長軸Ｘの中点Ｙを中心として、該中点Ｙと例えば履物の底２０の前方踏み付け部２２や踵部２４等の中心とを結ぶ線Ｚに対して順次一定角度（本実施形態では３６度）ずつ回転して配されている。
【００１６】
従って、例えば前方踏み付け部２２の各アメーバ形突起３…は、前方踏み付け部２２の中心を基点として回動する前記線Ｚ上で回転するため、図３における外側の突起群において角度Ａ１が３６度、角度Ａ２が７２度、角度Ａ３が１０８度となり、また、中央の突起群において角度Ｂ１が１８度（３６度の１／２から始まる）、角度Ｂ２が５４度、角度Ｂ３が９０度となり、夫々アメーバ形突起３が同様に回転しつつ、前方踏み付け部２２の表面を周回することとなるものである。
【００１７】
本発明において、上記実施形態にあっては、アメーバ形突起３として楕円形に類する平面視略たまご形等のものを例示したが、アメーバ形突起とは平面視において真円形を除きその全周を曲線状に連設してなる形状をいい、例えば図４において長手方向の中心線を長軸Ｘとなす、３とした略たまご形、３ａとした略楕円形、３ｂとした略だるま形、３ｃとした略ひょうたん形、３ｄとした略８の字形や該略たまご形３、略楕円形３ａ、略だるま形３ｂ、略ひょうたん形３ｃ、略８の字形３ｄにおける長軸Ｘが曲線状に屈曲してなる突起３ｅ乃至３ｉ、又、複数の軸線を夫々曲線状に屈曲してなる略Ｘ字形３ｊ、略Ｙ字形３ｋ、略海星形３ｌや外周線を自在に変化させる本来のアメーバ形状３ｎの突起等があり、更に、突起の方向性を決める軸とは、前記各形状における長軸Ｘ（略Ｘ字形３ｊ、略Ｙ字形３ｋ、略海星形３ｌ及びアメーバ形状３ｎにおいては最も長い軸線）を意味するものである。
前記各アメーバ形突起の上面には凹状部４又は凸状部８が設けられているが、その平面形状は、例えて、真円形、略たまご形、略楕円形、略だるま形、略ひょうたん形、略８の字形、略弓形、略Ｘ字形、略Ｙ字形や本来のアメーバ形状又はそれらの変形形状等がある。
【００１８】
本実施形態に係る滑り防止表面構造は、以上の構成からなるものであるが、かかる履物の底２０を一例として、歩行者の靴底に発生する摩擦や滑り抵抗等の態様を以下に説明する。
履物の底２０に設けた突起群を形成する突起が、上面に凹状部４又は凸状部８を設けた方向性を有するアメーバ形で、且つ、その方向性を決める軸が互いに異なる（相隣る突起が順次方向性が異なる）ように配列したことにより、歩行者が何れの方向に歩行しても路面等に接触するアメーバ形突起並びにその上面の凹状部４又は凸状部８の方向は、各アメーバ形突起毎に夫々異なるから、履物の底２０は路面等との接触から十分な摩擦（滑り）抵抗を受けることができる。
また、アメーバ形突起の平面視が方向性を有する形状、例えて、たまご形３、略だるま形３ｂ、略ひょうたん形３ｃ等に形成されることで、突起周縁部の周線の長さが長くなるとともに、該突起の上面に設けた凹状部４及び／又は凸状部８の周縁部の周線が更に付加されて周線全体の長さが極めて長くなるという利点をも有する。尚、上記突起及び凹状部４又は凸状部８の周線の長さは、図４に示す如く突起の平面形状がたまご形３からその外周線を自在に屈曲させてなる本来のアメーバ形状３ｎに変形する程長くなるから、該長い周縁部７，７′による摩擦（滑り）抵抗も著しく増大するという特長がある。
【００１９】
また、履物の底２０の突起群を形成するアメーバ形突起が内外に対して所謂ちどり状に配されるとともに、その表面積が夫々異なっているので路面等とアメーバ形突起との接触面積が増大し、且つ接触角度が更に変化するため、より大きな接触抵抗及び摩擦（滑り）抵抗が得られる。
なお、突起群或いは各突起自体の高さを相違させることにより、履物の底２０の表面粗度が更に増すから、十分なノンスリップ効果を得ることができる。
【００２０】
図５（イ）及び（ロ）は、第三実施形態としてのタイヤ３０であって、その表面が４本の突条体１２によって区画されることで周方向に主溝３１が３本設けられ、該主溝３１内にはその長軸が曲線状に屈曲してなるアメーバ形突起３ｆが周方向に設けられることで幅方向に３個配されるとともに、両側の突条体１２の外側にはたまご形のアメーバ形突起３が設けられ、且つ夫々その配列方向（タイヤ周方向）に相隣るアメーバ形突起３ｆ又は３は、その方向性を決める軸が互いに異なるように配されている。詳しくは上記と略同様に、相隣るアメーバ形突起３ｆ又は３は、順次方向性が異なるべく配されている（方向性を決める軸としての長手方向の中心線の中点を中心として順次適宜角度ずつ回転している）。また、アメーバ形突起３ｆ及び３の各々の上面には、アメーバ形又は真円形の凹状部４又は凸状部８が各突起３自体の中心より偏位して設けられている。
ここで、周方向に夫々隣接するアメーバ形突起３ｆ相互間及びアメーバ形突起３相互間が副溝３２を形成している。
【００２１】
図６は、他のタイヤ３０を示す第四実施形態であって、その表面に設けられた３本の主溝３１内には、周方向に略Ｘ字形のアメーバ形突起３ｊが設けられるとともに、その両側にはたまご形のアメーバ形突起３が配されている。又、アメーバ形突起３ｊの上面には平面視略Ｘ字形のアメーバ形の凹状部４又は凸状部８が設けられ、且つアメーバ形突起３上面の凹状部４又は凸状部８は、該突起３自体の中心より偏位して設けられている。
尚、第三及び第四実施形態では主溝３１を３本設けているが、主溝３１の数はこれに限定されず任意に設定可能であり、また、アメーバ形突起３ｊ又は３の上面に更に狭溝を設けて排水及びエッジ効果を付与してもよい。また、本実施形態ではタイヤトレッドを対象としているが、この他にタイヤチェーン、クローラーベルト等の弾性材料を対象としてもよい。
【００２２】
図７（イ）乃至（ハ）は、第五実施形態としてのシート・マット４０であって、その表面に略勾玉形のアメーバ形突起３ｅ′が縦に９個、次に真円突起２が縦に９個と交互に配され、突起群が合計９列形成されている。配列方向（主として縦方向）に相隣る略勾玉形のアメーバ形突起３ｅ′はその方向性を決める軸が互いに異なる（順次方向性が異なる）ように配され、且つ略勾玉形のアメーバ形突起３ｅ′及び真円突起２の夫々の上面には平面視真円形の凹状部４又は凸状部８が各突起自体の中心より偏位して設けられている。
【００２３】
図８は、他のシート・マット４０を示す第六実施形態であって、その表面に表される突起群が周回状で、内側に至るほど径が小さくなる略だるま形のアメーバ形突起３ｂ及び五角形の多角突起９が交互に配され、略中央部に少許大きめの略だるま形のアメーバ形突起３ｂが対角して４個、略ひょうたん形のアメーバ形突起３ｃが略十字状に４個配されると共に、配列方向（周回方向）に相隣る夫々の突起３ｂ、３ｃ及び９は夫々方向性を決める軸が互いに異なる（順次方向性が異なる）ように配され、また、アメーバ形突起３ｂ及び３ｃの夫々の上面には平面視略だるま形又はたまご形の凹状部４又は凸状部８が設けられている。
【００２４】
図９（イ）乃至（ハ）も他のシート・マット４０（シール）を示す第七実施形態であって、その表面の上位から下位に至るほど径が大きくなるたまご形のアメーバ形突起３と真円突起２とが６個ずつ交互に配されるとともに、配列方向（主として上下方向）に相隣るアメーバ形突起３はその方向性を決める軸が互いに異なる（順次方向性が異なる）ように配され、且つその上面には平面視アメーバ形状の凹状部４又は凸状部８が設けられている。
尚、第五乃至七実施形態ではシート・マット４０（シール）の表面にのみ突起群が配されているが、これに限定されず浴室の洗い場、厨房、プールサイド等のように水に濡れて特にスリップし易い場所に敷かれる場合は、その裏面にも突起群を配してもよく、また、シート・マット（シール）の表裏面に突条体１２や溝又は排水孔を設けて水や洗剤液等に対する排水機能を付加してもよい。
更に、突起群が突設される基板部の厚みは、シールと称される極薄のものからマットと称される比較的分厚いものまで任意に設定可能である。
【００２５】
図１０（イ）乃至（ハ）は、第八実施形態としての階段の踏面先端に設置される踏板５０であって、その表面は横設せる３本の突条体１２によって２つの領域に分割され、一方（踏面付根側）には略ひょうたん形のアメーバ形突起３ｃが横方向に１列配され、略ひょうたん形のアメーバ形突起３ｃと突条体１２との間にたまご形のアメーバ形突起３が配されるとともに、他方（踏面先端側）には付根側より小さい略ひょうたん形のアメーバ形突起３ｃが２列配され、その列間にたまご形のアメーバ形突起３が１列配されている。
ここで、配列方向（横方向）に相隣るアメーバ形突起３ｃ及び３は夫々方向性を決める軸が互いに異なる（順次方向性が異なる）ように配され、また、それらの上面には夫々平面視たまご形又は真円形の凹状部４又は凸状部８が設けられている。
本実施形態では突条体１２によって２つの領域に分割されているが、その数は限定されず、また、突条体１２を設けなくてもよく、更には、同図（ニ）に示す如く、踏面先端側の垂れ部を除去して帯状となし、各種スロープの滑り防止材とすることもできる。
【００２６】
図１１（イ）乃至（ハ）は、第九実施形態としての床材６０であって、基板の表面に格子状に突設された突条体１２の内側に沿って略楕円形のアメーバ形突起３ａが周回状に配され、その内側にたまご形のアメーバ形突起３が配されることでユニット化されてなるとともに、配列方向（周回方向）に相隣るアメーバ形突起３ａ及び３は夫々その方向性を決める軸が互いに異なる（順次方向性が異なる）ように配され、且つその上面には平面視瞳形又は真円形の凹状部４又は凸状部８が設けられている。
【００２７】
図１２（イ）乃至（ハ）は、第十実施形態としてのタイル７０であって、該タイル７０の基板表面には周回状をなす略勾玉形のアメーバ形突起３ｅ′、真円突起２及びたまご形のアメーバ形突起３が適宜に配され、略中央部にたまご形のアメーバ形突起３が位置してなるとともに、配列方向（周回方向）に相隣るアメーバ形突起３ｅ′及び３は各々方向性を決める軸が互いに異なる（順次方向性が異なる）ように配され、且つ真円突起２を含めて各々の上面には平面視略弓形、真円形又は楕円形の凹状部４又は凸状部８が設けられている。
尚、第九及び十実施形態に係る床材６０及びタイル７０は、その基板を正方形となしているが、基板の形状はこれに限定されず、その他多角形や円形、或いは定型又は不定型に屈曲して板体をなすもの等に自由に変更可能である。
【００２８】
そもそも、第五乃至第十実施形態に係るシート・マット４０、階段の踏板５０、床材６０及びタイル７０の表面に突起を設けることによる長所は以下の点にある。
図１３（イ）に示す如く、弾性体で構成されたタイヤや靴底等がシート・マット４０、階段の踏板５０、床材６０及びタイル７０上に位置すると、車重及び人間の体重が作用することでタイヤや靴底に弾性変形が起こり各突起の上面をはずれた箇所でタイヤ面や靴底面等に沈み込み部６が生じる。
【００２９】
そこで、車両や歩行者等の進行方向をＡ方向と仮定すると、弾性変形を生じたタイヤ面や靴底面等の沈み込み部６が、突起上面の周縁部７から水平方向に接触抵抗力Ｆを受け、該接触抵抗力Ｆによりスリップ防止効果が高められている。
【００３０】
また、図１３（ハ）及び（ニ）に示す如く、アメーバ形突起３又は真円突起２の上面に凹状部４又は凸状部８を形成することで、該凹状部４又は凸状部８の周縁部７′においても接触抵抗力Ｆが発生し、タイヤ面や靴底面等との接触抵抗がさらに増大することとなるから、より大きなスリップ防止効果が得られる。
【００３１】
前記接触抵抗力Ｆは、突起上面の周縁部７及び凹状部４又は凸状部８の周縁部７′との接触長さに比例して大きくなるが、上述の如き各突起の形態及びその配列によって前記沈み込み部６と各周縁部７，７′との接触抵抗力Ｆがより大きくなる効果がある。
即ち、図１３（ロ）に示す如き配列にあって、上面に凹状部４又は凸状部８を有する平面視略たまご形３、略だるま形３ｂ及び略ひょうたん形３ｃを呈するアメーバ形突起にタイヤや靴底等がＡ乃至Ｈのいずれの方向から進入しても、タイヤ面や靴底面等が接触する周縁部７…，７′…の形態は、各アメーバ形突起毎に夫々異なるとともに、各アメーバ形突起間の相対距離が突起間毎に相違することで、前記沈み込み部もまた様々な方向で且つ様々な距離を以て生じることとなるから、車両や人がどの方向から進入して来てもタイヤ面や靴底面等に前記接触抵抗力Ｆを十分与えることができる。
【００３２】
また、夫々異なった角度で且つちどり状に現出する長い周縁部７…，７′…と接触するタイヤ面や靴底面等には、進行方向とは異なった様々な方向にも接触抵抗力が分布作用することとなるため、横方向に対しても有効に滑りを防止することができ、特に、曲がり角や曲線区間等、タイヤや靴底が斜めに接地する場所で有効に横滑りを防止できる。
【００３３】
図１４（イ）乃至（ハ）は、第十一実施形態としての自動二輪車、バイク、自転車等のハンドルのグリップ８０であって、その弾性体等の表面は主溝８１及び副溝８２によって複数の領域に分割され、その１の領域は２列のたまご形のアメーバ形突起３が六角形の多角突起９を挟んで配され、他の１の領域は２列の略だるま形のアメーバ形突起３ｂが五角形の多角突起９を挟んで配されるとともに、それらが左右に表されている。
配列方向（縦方向）に相隣るアメーバ形突起３、３ｂ及び多角突起９は、夫々方向性を決める軸が互いに異なる（順次方向性が異なる）ように配され、また、アメーバ形突起３及び３ｂの上面には凹状部４又は凸状部８が設けられている。
尚、本実施形態では主溝８１及び副溝８２によって領域分割されているが、該分割の方法は突条体１２によってもよく、また、本実施形態においてはハンドルのグリップを対象としたが、これに限定されず、「グリップ」と称し、把持することを必要とする部位全てに実施可能である。
【００３４】
図１５は、第十二実施形態としての手袋９０であって、その表面（把持時に他と接触する面）の５本の指先部には、夫々楕円形のアメーバ形突起３ａが３個設けられ、その他の指部分には、円形の対向部を各々少許膨出させてなるアメーバ形突起３ｍによって、縦１列に配された略８の字形のアメーバ形突起３ｄ′を囲繞する如く配されるとともに、手の平部には、前記アメーバ形突起３ｍと前記アメーバ形突起３ｄ′が交互に多数配列されている。
ここで、アメーバ形突起３ａ、３ｍ及び３ｄ′は、ゴム等の弾性体からなるとともに、夫々その配列箇所の配列方向に相隣る突起３ａ、３ｍ及び３ｄ′は各々の方向性を決める軸が互いに異なる（順次方向性が異なる）ようその表面に固着され、且つそれらの上面には夫々平面視略楕円形、真円形又は略８の字形の凹状部４又は凸状部８が設けられている。
尚、本実施形態において突起群は、その表面を全面的に被覆してなるが、該突起群の配列はこれに限定されず、例えて、把持時に他と接触し、特に滑り防止機能を必要とする箇所にのみに部分的に設けることもでき、又、突起群を別途固着する構成に代えて手袋自体を弾性体とし、突起群と共に一体成形することも可能である。
【００３５】
図１６（イ）乃至（ハ）は、第十三実施形態としての手摺り１００であって、円形をなす棒体の表面に略８の字形の長軸が曲線状に屈曲してなるアメーバ形突起３ｉ′、真円突起２及び略Ｙ字形のアメーバ形突起３ｋが夫々列をなして横方向に設けられるとともに、配列方向（横方向）に相隣るアメーバ形突起３ｉ′及び３ｋは、夫々方向性を決める軸が互いに異なる（順次方向性が異なる）ように配され、且つその上面には夫々平面視略８の字形又は略Ｙ字形の凹状部４又は凸状部８が設けられている。
【００３６】
図１７（イ）乃至（ハ）は、第十四実施形態としての手摺り１００の変形実施例であって、該実施例は略逆凹形をなす手摺り１００の上面にシート・マット４０（シール）を接着してなるものであり、そのシート・マット４０（シール）の表面には、３個の略海星形のアメーバ形突起３ｌ及び真円突起２を夫々傾斜させ交互に突設してなり、配列方向（主として傾斜方向）に相隣るアメーバ形突起３ｌはその方向性を決める軸が互いに異なる（順次方向性が異なる）ように配されるとともに、その上面には平面視略海星形の凹状部４又は凸状部８が設けられている。また、真円突起２の上面には平面視真円形の凹状部４又は凸状部８が該突起２自体の中心より偏位して設けられている。
【００３７】
又、第十五実施形態として、図１８においてアメーバ形を呈する突起（３乃至３ｎ）に実施する他の上面の態様について説明すると、同図（イ）及び（ロ）に示す如く、上記突起、例えてアメーバ形突起３ｎ′の上面に、該突起３ｎ′の周縁部７から内部に向けて下がり傾斜面１５を設けることで、その外郭部と略中央部に内部凸状部８′を夫々形成してなる。又、同図（ハ）に示す如く、各周縁部７、７′に下方漸開状の傾斜を付すとともに、前記略中央の内部凸状部８′の上面にも下がり傾斜面１５を設け、結局複数の傾斜面１５により複数の内部凸状部８′が連設形成されてなる。更に、同図（ニ）に示すものは、複数の下がり傾斜面１５により複数の内部凸状部８′が連設して形成されてなる。
尚、上記実施形態において下がり傾斜面１５は、周縁部７、７′若しくはその近傍から設けられてなるが、該下がり傾斜面１５を設ける位置は周縁部７、７′から離隔した位置等、任意に設定可能である。
【００３８】
次に、第十六実施形態として、図１９（イ）乃至（ハ）に示す如く、アメーバ形突起３ｎ′の周縁部７とその上面に設けられる凹状部４及び／又は凸状部８の周縁部７′との間の上面に、凹状部４及び／又は凸状部８の深さ又は高さとは異なる深さ又は高さを有する凹状部４′及び／又は凸状部８″設けられてなるものである。
ここで、前記凹状部４′及び／又は凸状部８″の表面は、同図（ニ）乃至（ト）に示す如く、アメーバ形突起３ｎ′の短軸方向（図中、Ｘ−Ｘ方向）若しくは長軸方向（図中、Ｗ−Ｗ方向）に上り、又は下り、或いは屈曲せる傾斜面１５′に形成することもできる。但し、かかる傾斜面１５′の傾斜方向は、短軸又は長軸方向に限定されるものではなく、自由に変更可能である。
又、第十七実施形態として、図２０（イ）及び（ロ）に示す如く、凹状部４、凸状部８、内部凸状部８′、下がり傾斜面１５及び傾斜面１５′を併存させたアメーバ形突起３ｎ′となすことも可能である。
【００３９】
尚、第十五乃至十七実施形態においては、アメーバ形突起３ｎ′を例示してその実施形態を説明したが、かかる形態は前出せるアメーバ形を呈する突起（３乃至３ｌ）全てに実施することができる。
【００４０】
また、図２１（イ）及び（ロ）に示す如く、平面視略たまご形のアメーバ形突起３の上面内側に、該突起の平面形状と相似形をなす略たまご形の凸状部８を突設し、その周縁部７，７′を断面階段状に形成するとともに、凸状部８の表面に目玉状の凹状部４を設けることも可能であり、この場合、上面の凸状部８が摩滅しても、アメーバ形突起３自体の周縁部７及び凹状部４の周縁部７′が残存して前記スリップ防止効果を維持するものである。
【００４１】
また、図２１（ハ）及び（ニ）に示す如く、アメーバ形突起３の上面に突設される凸状部８の平面形状をその周縁部７′が長い形状（本図においては、略ひょうたん形）に変形させ、且つ凹状部４の形状も同様に変形させると、例えて、タイヤ面や靴底面等と接触する周縁部７，７′が一挙に増大することとなるから、表面粗度が粗くなってノンスリップ効果も極めて高くなる。
【００４２】
前記実施形態において各種アメーバ形突起自体の表面は、凹状部４及び凸状部８を除き平面となっているが、これに限定されず図２２（イ）及び（ロ）に示すように段差を設けてもよく、又、図２２（ハ）及び（ニ）に示すように突起上面に現出する角部全てに丸みを付してもよい。更に、突起上面に設けられる凹状部４又は凸状部８の平面形状として真円形、略たまご形、略楕円形、略だるま形、略ひょうたん形、略勾玉形、略瞳形、略弓形、アメーバ形等を例示したが、他の任意の形状にも自由に変更可能である。
【００４３】
また、前記各実施形態では、各種アメーバ形突起を始めとする突起の上面やその側面は比較的滑らかな面となっているが、該面をたとえばヤスリなどのような凹凸面に形成して更にスリップ防止効果をあげてもよい。
更に、突起自体の形状や模様を鮮明にするために、例えば図１３（ハ）及び、図２１（イ）、（ロ）に示すように、着色樹脂等からなるコーキング材１４で突起周囲の一部又は全部、更には突起上面の凹状部４等に、突起及び凹状部の周縁部７、７′が埋まらない程度に着色を施してもよい。
【００４４】
更に、各実施形態における突条体１２は必須の条件ではないが、該突条体１２を履物の底２０、タイヤ３０、シート・マット４０、階段の踏板５０、床材６０、タイル７０、ハンドルのグリップ８０、手袋９０又は手摺り１００の表面に設けて領域を分割することにより、アメーバ形突起による接触抵抗に加えて、突条体１２による接触抵抗が更に作用し、より大きなノンスリップ効果が得られるとともに、各種突起が分割された領域内に整然と突設されて意匠的にも優れたものとなる。
【００４５】
尚、本発明の滑り防止表面構造は、上記実施形態に限定されるわけではなく、アメーバ形突起又はその他の突起の数や大きさ、形状並びにアメーバ形突起又はその他の突起により形成される突起群の列数は、履物の底２０、タイヤ３０、シート・マット４０、階段の踏板５０、床材６０、タイル７０、ハンドルのグリップ８０、手袋９０又は手摺り１００の表面の大きさによって任意に変更でき、また、相隣るアメーバ形突起の方向性を決める軸が互いに異なる（順次方向性が異なる）ようになされればよく、突条体１２の有無と該突条体１２を設けた場合の表面領域の分割方法についても問わないものであり、要は、上記各種物品又は構造物の表面に効率よく配置できるものであれば、本発明の意図するところである。
【００４６】
【発明の効果】
以上のように、本発明に係る滑り防止表面構造は、履物の底又はタイヤにあっては、その表面に多数の突起を配してなる突起群の一部又は全部が方向性を有する形状のアメーバ形突起、即ち周縁部の周線の長さが長く形成される形状のアメーバ形突起からなり、該アメーバ形突起の上面には凹状部又は凸状部が設けられて１突起につき少なくとも二重の周縁部が現出するため、路面等の接地面に接触する際、前記周縁部によるエッジ効果又は接地面積の増大により、人や車両等が接地面上で滑ることを確実に防止することができる。
又、前記突起群を形成するアメーバ形突起は、その配列方向における該アメーバ形突起の方向性を決める軸としての長手方向の中心線が、相隣るアメーバ形突起の長手方向の中心線とは互いに方向が異なるべく、上記中心線の中点を中心として順次適宜角度ずつ回転して配列されてなるために、履物の底やタイヤが接地面にどのような方向で接触してもアメーバ形突起の周縁部は、各アメーバ形突起毎に夫々その形態が異なるとともに、各アメーバ形突起間の相対距離が突起間毎に相違することとなり、接地面等との接触が様々な方向に様々な距離をもって生じるから、履物の底又はタイヤは接地面からより大きな摩擦（滑り）抵抗を得ることができる。
【００４７】
本発明に係る滑り防止表面構造がシート・マット、階段の踏板、床材、タイル、ハンドルのグリップ、手袋又は手摺りである場合にあっても、アメーバ形を呈する突起の周縁形状、該アメーバ形突起の方向性を決める軸が互いに異なっている配列、更に、その上面に設けられた凹状部又は凸状部によって、被接触物が如何なる場合にあっても、かかる表面構造が大きな摩擦（滑り）抵抗を発揮して、その接触部におけるスリップ防止効果を高めるものである。
【００４８】
また、本発明に係る滑り防止表面構造は、アメーバ形突起の上面に、アメーバ形突起の内部に向けて下がり傾斜面を複数個設けることにより内部凸状部が複数個連設形成されてなるため、該内部凸状部は凸状部と同様、内部凸状部の周縁部による接触抵抗を生じ、アメーバ形突起による接触抵抗に加えて大きなスリップ防止効果を発揮するとともに、下がり傾斜面を複数個設けることにより、そのスリップ防止効果はその個数分だけ増大し、且つ下がり傾斜面を複数個設けることで形成される複数個の内部凸状部を連続させると、その周縁部が角立ち全体として鋸歯状を呈するため、極めて大きな接触（滑り）抵抗を発生させることができる。
【００４９】
また、本発明に係る滑り防止表面構造は、突起群を形成する突起に方向性を有する形状、例えて、略たまご形、略楕円形、略だるま形、略ひょうたん形、略８の字形や該略たまご形、略楕円形、略だるま形、略ひょうたん形、略８の字形における長軸が曲線状に屈曲してなる形状、又、複数の軸線を夫々曲線状に屈曲してなる略Ｘ字形、略Ｙ字形、略海星形や外周線を自在に変化させる本来のアメーバ形状等のアメーバ形突起を採用するとともに、該アメーバ形突起の上面に各種形状の凹状部又は凸状部を設け、更に各アメーバ形突起の方向性を決める軸が互いに異なるように配列されてなることから、外観形態が非常に躍動感に溢れ、意匠的にも優れたものとなっているため、購買意欲を増進させる効果をも奏する。
【図面の簡単な説明】
【図１】  本発明の一実施形態を示す履物の底であって、（イ）は平面図、（ロ）は（イ）におけるＫ−Ｋ端面図。
【図２】  本発明の他実施形態を示す履物の底の平面図。
【図３】  本発明の滑り防止表面構造を構成する“アメーバ形突起”の配列例を示す一部平面図。
【図４】  本発明の滑り防止表面構造を構成する“アメーバ形突起”の具体例及びその方向性を決める軸を示す平面図。
【図５】  本発明の他実施形態を示すタイヤであって、（イ）は接地面部パターンの部分展開図、（ロ）は（イ）におけるＭ−Ｍ端面図。
【図６】  本発明の他実施形態を示すタイヤの接地部パターンの部分展開図。
【図７】  本発明の他実施形態を示すシート・マットであって、（イ）は平面図、（ロ）は（イ）におけるＮ−Ｎ端面図、（ハ）は（ロ）の一部拡大端面図。
【図８】  本発明の他実施形態を示すシート・マットの平面図。
【図９】  本発明の他実施形態を示すシート・マット（シール）であって、（イ）は平面図、（ロ）は（イ）におけるＯ−Ｏ端面図、（ハ）は（ロ）の一部拡大端面図。
【図１０】  本発明の他実施形態を示す階段の踏板であって、（イ）は平面図、（ロ）は（イ）におけるＰ−Ｐ端面図、（ハ）は設置状態を示す断面図、（ニ）は他の設置状態を示す断面図。
【図１１】  本発明の他実施形態を示す床材であって、（イ）は平面図、（ロ）は（イ）におけるＱ−Ｑ端面図、（ハ）は（ロ）の一部拡大端面図。
【図１２】  本発明の他実施形態を示すタイルであって、（イ）は平面図、（ロ）は（イ）におけるＲ−Ｒ端面図、（ハ）は（ロ）の一部拡大端面図。
【図１３】  本発明の一実施形態の突起群を形成する突起とタイヤ面や靴底面等とが接触する状態を示し、（イ）はタイヤ面や靴底面等が突起群と接触して、弾性変形による沈み込みを起こした状態図、（ロ）はタイヤや靴底等の進入方向と各突起との位置関係図、（ハ）はタイヤ面や靴底面等が凹状部を有する突起と接触して、弾性変形による沈み込みを起こした状態図、（ニ）はタイヤ面や靴底面等が凸状部を有する突起と接触して、弾性変形による沈み込みを起こした状態図。
【図１４】  本発明の他実施形態を示すハンドルのグリップであって、（イ）は平面図、（ロ）は（イ）におけるＳ−Ｓ端面図、（ハ）は（ロ）の一部拡大端面図。
【図１５】  本発明の他実施形態を示す手袋の平面図。
【図１６】  本発明の他実施形態を示す手摺りであって、（イ）は展開平面図、（ロ）は（イ）におけるＵ−Ｕ端面図、（ハ）は（ロ）の一部拡大端面図。
【図１７】  本発明に係る手摺りの他実施形態を示し、（イ）は平面図、（ロ）は（イ）におけるＴ−Ｔ端面図、（ハ）は（ロ）の一部拡大端面図。
【図１８】  本発明に係る他のアメーバ形突起を示し、（イ）は平面図、（ロ）は（イ）のＶ−Ｖ端面図、（ハ）及び（ニ）は他の端面図。
【図１９】  本発明に係る他のアメーバ形突起を示し、（イ）は平面図、（ロ）及び（ハ）は（イ）におけるＷ−Ｗ端面図、（ニ）及び（ホ）は同Ｘ−Ｘ端面図、（ヘ）及び（ト）は同Ｙ−Ｙ端面図。
【図２０】  本発明に係る他のアメーバ形突起を示し、（イ）は平面図、（ロ）は（イ）におけるＺ−Ｚ端面図。
【図２１】  本発明の一実施形態の凸状部上面に凹状部を有する“アメーバ形突起”を示し、（イ）は平面図、（ロ）は（イ）の横断面図、（ハ）は他の平面図、（ニ）は（ハ）におけるＬ−Ｌ断面図（例えて、タイヤ面や靴底面等が弾性変形による沈み込みを起こした状態図）。
【図２２】  表面に配される“アメーバ形突起”の一例を示し、（イ）及び（ハ）は平面図、（ロ）及び（ニ）は正面図。
【図２３】  従来の滑り防止用スポーツシューズの靴底の平面図。
【図２４】  従来の滑り防止用スタッドレスタイヤの展開平面図。
【図２５】  従来の滑り防止用シート・マットの平面図。
【符号の説明】
２…真円突起、３…アメーバ形突起、４、４′…凹状部、６…沈み込み部、７，７′…周縁部、８…凸状部、８′…内部凸状部、８″…凸状部、９…多角突起、１２…突条体、１５…下がり傾斜面、１５′…傾斜面、２０…履物の底、２２…前方踏み付け部、２３…土踏まず部、２４…踵部、３０…タイヤ、３１…主溝、３２…副溝、４０…シート・マット、５０…階段の踏板、６０…床材、７０…タイル、８０…ハンドルのグリップ、８１…主溝、８２…副溝、９０…手袋、１００…手摺り
【図１】
0003677629.tif 000002
【図２】
0003677629.tif 000003
【図３】
0003677629.tif 000004
【図４】
0003677629.tif 000005
【図５】
0003677629.tif 000006
【図６】
0003677629.tif 000007
【図７】
0003677629.tif 000008
【図８】
0003677629.tif 000009
【図９】
0003677629.tif 000010
【図１０】
0003677629.tif 000011
【図１１】
0003677629.tif 000012
【図１２】
0003677629.tif 000013
【図１３】
0003677629.tif 000014
【図１４】
0003677629.tif 000015
【図１５】
0003677629.tif 000016
【図１６】
0003677629.tif 000017
【図１７】
0003677629.tif 000018
【図１８】
0003677629.tif 000019
【図１９】
0003677629.tif 000020
【図２０】
0003677629.tif 000021
【図２１】
0003677629.tif 000022
【図２２】
0003677629.tif 000023
【図２３】
0003677629.tif 000024
【図２４】
0003677629.tif 000025
【図２５】
0003677629.tif 000026